(57)【要約】【課題】  データ放送用のデータを受信後に逐次表示する行程を短縮することにより、利用者からの表示要求がされてからデータが表示されるまでの待機時間を減少させる。【解決手段】  選択されたチャンネルの履歴を履歴テーブル１２ａとして記憶するチャンネル履歴記憶手段１１ａと、履歴テーブル１２ａに記憶された表示要求の多い１つ以上のチャンネルを抽出し、アクセスチャンネル記憶テーブル１１ｂとして記憶更新するアクセスチャンネル更新手段１１ｂと、データにアクセスチャンネル記憶テーブル１１ｂに記憶されたチャンネルが含まれているか否かを比較判定するチャンネル比較手段１１ｃと、データ放送のデータをデータ放送管理テーブル１２ｃとして記憶するデータ記憶手段１１ｄと、対応するデータ放送のデータをデータ放送管理テーブル１２ｃから読み出して表示させるよう制御するデータ表示手段１１ｅとを有する。【選択図】      図１
2005348313.tif 000002
【特許請求の範囲】
【請求項１】
データ放送を受信して表示するデータ放送受信装置から入力された選択されたチャンネルの表示要求信号に基づき、前記選択されたチャンネルの履歴を履歴テーブルとして記憶するチャンネル履歴記憶手段と、
一定時間が経過する毎に、前記履歴テーブルに記憶された表示要求の多い１つ以上のチャンネルを抽出し、アクセスチャンネル記憶テーブルとして記憶更新するアクセスチャンネル更新手段と、
前記データ放送受信装置にて受信されたデータ放送のデータが入力されたとき、このデータに前記アクセスチャンネル記憶テーブルに記憶されたチャンネルが含まれているか否かを比較判定するチャンネル比較手段と、
このチャンネル比較手段で前記入力されたデータ放送のチャンネルが前記アクセスチャンネル記憶テーブルに記憶されたチャンネルに含まれていると判断された場合に、前記入力されたデータ放送のデータをデータ放送管理テーブルとして記憶するデータ記憶手段と、
前記入力された表示要求信号に基づき、前記選択されたチャンネルが前記アクセスチャンネル記憶テーブルに記憶されたチャンネルのいずれかと同一であった場合に、この同一チャンネルに対応するデータ放送のデータを前記データ放送管理テーブルから読み出して表示させるよう制御するデータ表示手段と、
を有することを特徴とするデータ放送制御装置。
【発明の詳細な説明】
【技術分野】
【０００１】
本発明は、データ放送受信時のアクセス操作をするデータ放送制御装置に関する。
【背景技術】
【０００２】
近年、ディジタルテレビジョン放送のサービスとして、データ放送が利用されている。データ放送によれば、利用者はニュースや天気予報、株価情報等の情報を任意に視聴できる。
【０００３】
一般的に、データ放送を表示する際には通常の番組放送の間隙に送信されるデータ放送用の静止画データや文字データ等のデータの受信を待機し、該当するデータを受信するとこれを逐次表示している。
【０００４】
そのため、このような従来のディジタルテレビジョン放送におけるデータ放送の表示においては、利用者が所望のデータ放送を選択して表示する操作をした場合、表示するデータを得るまでに多大の時間を要し、表示の操作をしてから表示されるまで、待たされる時間が長いことが問題であった。
【０００５】
そこで、受信したデータ放送用のデータを予めメモリに記憶し、利用者からの表示の要求に応じて、記憶されているデータの中から必要なデータを表示することも考えられる。これにより、利用者によって表示操作がされてから要求されたデータを表示するためのデータを受信するまでの時間は多くを必要としない。
【０００６】
しかしながら、この場合には、受信されるデータをすべて記憶すると、表示要求があった場合には多大なデータの中から表示するデータを生成しなければならなくなり、メモリアクセスへの負担が大きくなる。
【０００７】
このような問題を解決するため、メモリへの書込みを制御する技術もある（例えば、特許文献１）。具体的には、動画データと静止画データを別々に記憶し、次のフレームの静止画データが変化した場合にのみ、その変化した静止画データを表示用データ記憶メモリに書込むことにより、メモリへのアクセス回数を減らしている。
【特許文献１】特開２００２−２７１７５１号公報
【発明の開示】
【発明が解決しようとする課題】
【０００８】
しかしながら、上述した特許文献１に記載のメモリアクセスを制御する技術では、データ放送アクセス時に所望の静止画データを受信後に逐次表示するという行程を短縮できない点では問題がある。
【０００９】
上記の課題に鑑み本発明は、データ放送用のデータを受信後に逐次表示する行程を短縮することにより、利用者からの表示要求がされてからデータが表示されるまでの待機時間を減少させることを可能としたデータ放送制御装置を提供することを目的とする。
【課題を解決するための手段】
【００１０】
上記の目的を達成するために請求項１の発明は、データ放送を受信して表示するデータ放送受信装置（２）から入力された選択されたチャンネルの表示要求信号に基づき、前記選択されたチャンネルの履歴を履歴テーブル（１２ａ）として記憶するチャンネル履歴記憶手段（１１ａ）と、一定時間が経過する毎に、前記履歴テーブル（１２ａ）に記憶された表示要求の多い１つ以上のチャンネルを抽出し、アクセスチャンネル記憶テーブル（１１ｂ）として記憶更新するアクセスチャンネル更新手段（１１ｂ）と、前記データ放送受信装置（２）にて受信されたデータ放送のデータが入力されたとき、このデータに前記アクセスチャンネル記憶テーブル（１１ｂ）に記憶されたチャンネルが含まれているか否かを比較判定するチャンネル比較手段（１１ｃ）と、このチャンネル比較手段（１１ｃ）で前記入力されたデータ放送のチャンネルが前記アクセスチャンネル記憶テーブル（１２ｂ）に記憶されたチャンネルに含まれていると判断された場合に、前記入力されたデータ放送のデータをデータ放送管理テーブル（１２ｃ）として記憶するデータ記憶手段（１１ｄ）と、前記入力された表示要求信号に基づき、前記選択されたチャンネルが前記アクセスチャンネル記憶テーブル（１２ｂ）に記憶されたチャンネルのいずれかと同一であった場合に、この同一チャンネルに対応するデータ放送のデータを前記データ放送管理テーブル（１２ｃ）から読み出して表示させるよう制御するデータ表示手段（１１ｅ）とを有することを特徴としている。
【００１１】
上記構成の本発明によれば、利用者がよく見るチャンネルのデータ放送用データは予め記憶部内に記憶している。そのため、記憶部から読み出して表示することで、放送局からの受信を待つことなく表示することができよく見るチャンネルの表示については待機時間を減少することができる。また、全てのチャンネルのデータ放送用データを記憶させるのではなく、よく見るチャンネルのデータ放送用データのみを記憶させることで、膨大なデータの中から検索して表示するのと比較して、このチャンネルについては、検索時間を減少させ、表示までの時間を減少させることができる。
【発明の効果】
【００１２】
本発明によれば、データ放送視聴の要求を操作することにより、所望のデータ放送にアクセスする際、データ受信を持つ必要が無いため高速アクセスが可能であるという効果を得ることが可能になる。
【発明を実施するための最良の形態】
【００１３】
以下に、本発明に係るデータ放送制御装置１の好ましい実施例について説明する。図１のブロック図に示されるように本発明に係るデータ放送制御装置１は、入出力部１０、制御部１１、記憶部１２を備えている。このデータ放送制御装置１は、図２で示すように、テレビ機器等のデータ放送受信装置２に接続されている。
【００１４】
入出力部１０は、データ放送受信装置２からデータ放送用のデータを入力する。また、利用者の指示によるデータ放送の表示要求信号がデータ放送受信装置２から入力されると、この表示要求信号に応じて、後述するデータ放送制御装置１に格納されたデータ放送用のデータを出力する。
【００１５】
制御部１１は、利用者からあるチャンネルのデータ放送の表示操作がされて入出力部１０で表示要求信号を入力した場合、ユーザに選択されたチャンネルの履歴の記録を制御する。また、制御部１１は、データ放送用のデータが入力された場合、必要に応じてそのデータの記憶を制御する。これらの制御をするために制御部１１は、履歴記憶手段１１ａ、アクセスチャンネル更新手段１１ｂ、比較手段１１ｃ、記憶手段１１ｄ及び表示手段１１ｅを有している。
【００１６】
記憶部１２は、データ放送を表示するために必要なデータを記憶する。すなわち、記憶部１２は制御部１１からの制御により生成される履歴テーブル１２ａ、アクセスチャンネル記憶テーブル１２ｂ及びデータ放送管理テーブル１２ｃを有している。
【００１７】
履歴記憶手段１１ａは、利用者の操作により入力された表示要求信号で指定されるチャンネルのデータ放送用のデータを入力すると、このチャンネルを履歴テーブル１２ａに記憶させる。
【００１８】
アクセスチャンネル更新手段１１ｂはタイマ機能を有しており、履歴の記憶が開始されてから一定時間が経過したことを確認さすると、履歴テーブル１２ａで記憶されているチャンネルから、表示操作の回数の多いチャンネルをアクセスチャンネルとして、アクセスチャンネル記憶テーブル１２ｂに記憶させる。すなわち、アクセスチャンネル更新手段１１ｂは、利用者がよく見るチャンネルをアクセスチャンネルとして、アクセスチャンネル記憶テーブル１２ｂを生成し、また、このアクセスチャンネル記憶テーブル１２ｂは、一定時間毎に更新する。なお、このアクセスチャンネルの数は、データ放送制御装置１によって、任意に定めることができる。
【００１９】
比較手段１１ｃは、入出力部１０を介してデータ放送用のデータが入力されたとき、アクセスチャンネル記憶テーブル１２ｂを参照して、入力されたデータのチャンネルをアクセスチャンネルと比較する。すなわち、入力されたデータ放送用データのチャンネルとアクセスチャンネルとが一致するか否かを判断することで、入力されたデータ放送用データが利用者がよく見るチャンネルであるかが判断できる。
【００２０】
また、比較手段１１ｃは、利用者からデータ放送の表示が要求されたとき、表示要求のあったチャンネルをアクセスチャンネルと比較する。
【００２１】
記憶手段１１ｄは、比較手段１１ｃによって、入力されたデータ放送用のデータがアクセスチャンネルのデータであると判断された場合には、これのデータをデータ放送管理テーブル１２ｃに記憶させる。すなわち、よく見るデータ放送チャンネルのデータが、データ放送管理テーブル１２ｃに記憶される。
【００２２】
表示手段１１ｅは、利用者からデータ放送の表示が要求され、比較手段１１ｃで表示が要求されたチャンネルがアクセスチャンネルであると判断された場合、データ放送管理テーブル１２ｃから該当するデータを読み出して、接続されるデータ放送受信装置２のディスプレイで表示させるために出力する。一方、比較手段１１ｃで表示が要求されたチャンネルがアクセスチャンネルでないと判断された場合、通常どおりに該当するデータが入力されるのを待機して、データが入力されたときにこのデータをデータ放送受信装置２のディスプレイに表示させるために出力する。
【００２３】
次に、本発明に係るデータ放送制御装置１が接続されるデータ放送受信装置２について説明する。図２のブロック図で示されるように、データ放送受信装置２は、アンテナ２０、復調部２１、多重分離部２２、音声デコーダ２３、スピーカ２４、映像デコーダ２５、データデコーダ２６、映像データ合成処理部２７、グラフィックコントローラ２８、ディスプレイ２９、ディジタルテレビ制御部３０、操作指示入力部３１及び外部機器入力端子３２を備えている。
【００２４】
アンテナ２０は、図示しない放送局から送信された放送波を受信する。
【００２５】
復調部２１は、アンテナ２０を介して放送波として受信した、変調されているデータを変調処理前のディジタルデータに復調する。
【００２６】
多重分離部２２は、復調部２１で復調されたディジタルデータが入力されると、このディジタルデータを音声情報、映像情報及び付加情報の各種データの放送素材ごとに分離し、分離されたデータを出力する。ここで付加情報とは、データ放送用データや番組情報、番組構成情報等である。
【００２７】
音声デコーダ２３は、多重分離部２２で分離された各放送素材のうち、音声情報を入力すると、符合化される前の音声信号に復号して、スピーカ２４で出力できる音声信号を生成する。
【００２８】
スピーカ２４は、音声デコーダ２３で生成された音声信号を出力する。
【００２９】
映像デコーダ２５は、多重分離部２２で分離された各放送素材のうち映像情報を入力すると、符合化される前の映像情報に復号して、出力できる映像データを生成する。
【００３０】
データデコーダ２６は、多重分離部２２で分離された各放送素材のうち付加情報を入力すると、符合化する前の付加情報を復号して付加データを生成する。
【００３１】
データデコーダ２６で生成された付加データは、ディジタルテレビ制御部３０に入力され、データ放送用データについては、本発明に係るデータ放送制御装置１に入力されて処理される。データ放送制御装置１における具体的な処理の内容についての詳しい説明は後述する。また、付加データのうち、データ放送用のデータ以外の番組情報や番組構成情報等のデータについては、ＣＰＵ３０ｂで処理される。
【００３２】
映像データ合成処理部２７は、映像デコーダ２５により出力された映像データ及び後述するグラフィックコントローラ２８から出力されるグラフィックデータとを入力とする。映像データ及びグラフィックデータが入力されると、これらを接続されるＲＡＭ２７ａに記憶して合成処理して表示データを生成する。
【００３３】
グラフィックコントローラ２８は、ディジタルテレビ制御部３０から出力される付加データが入力される。またグラフィックコントローラ２８は、グラフィックデータ生成コマンドに従い、ＲＡＭ２８ａにこの付加データを記憶して線の描写や矩形の描写や矩形単位のデータ移動等の処理により、入力された付加データに基づいてグラフィックデータを生成する。
【００３４】
ディスプレイ２９はブラウン管ディスプレイや液晶ディスプレイ等であり、映像データ合成処理部２７で合成された映像データが出力される。
【００３５】
ディジタルテレビ制御部３０は、入出力制御手段３０ａ、ＣＰＵ３０ｂ、ＲＡＭ（Ｒａｎｄｏｍ  Ａｃｃｅｓｓ  Ｍｅｍｏｒｙ）３０ｃ及びＲＯＭ（Ｒｅａｄ  Ｏｎｌｙ  Ｍｅｍｏｒｙ）３０ｄを有している。
【００３６】
このディジタルテレビ制御部３０は、復調部２１、多重分離部２２、音声デコーダ２３、映像デコーダ２５、データデコーダ２６、映像データ合成処理部２７、グラフィックコントローラ２８に対して制御信号を出力する。また、ディジタルテレビ制御部３０は、データデコーダ２６から入力される付加データに従って制御する。番組情報や番組構成情報等のデータが入力されると、画像を生成するために必要な付加データをグラフィックコントローラ２８に対して出力する。これとともに、画像データを生成するために画像データ生成コマンドを出力する。
【００３７】
操作指示入力部３１は、利用者によって指示される操作を入力する。例えば、操作指示入力部３１は、図示しないリモコンからの操作を受信する赤外線受光センサやテレビ機器に備えられる入力パネルである。
【００３８】
外部機器入力端子３２は、外部ＡＶ機器からのデータを入力する。
【００３９】
以下に、本発明に係るデータ放送制御装置１における、具体的な処理方法について説明する。
【００４０】
＜アクセスチャンネル記憶テーブルの生成＞
まず、図３に示すフローチャートを用いて、本発明の最良の実施の形態に係るデータ放送制御装置１の制御部１１において、アクセスチャンネル記憶テーブル１２ｂを生成する処理について説明する。
【００４１】
データ放送制御装置１の制御部１１は、データ放送チャンネルが選択されることで生成される表示要求信号の入力を待機している（Ｓ０１）。履歴記憶手段１１ａは、表示要求信号を検出すると、選択されたデータ放送チャンネルを履歴テーブル１２ａとして記憶部１２に記憶させる（Ｓ０２）。履歴テーブル１２ａには、このように、利用者からデータ放送チャンネルの選択がされるとデータ放送チャンネルの履歴が蓄積される。
【００４２】
制御部１１ではアクセスチャンネル更新手段１１ｂにより、記憶部１２で履歴テーブル１２ａとして履歴の記憶が開始されてから一定時間が経過したか否かが確認されている（Ｓ０３）。アクセスチャンネル更新手段１１ｂにおいて、一定時間が経過したことが判定されると、アクセスチャンネル更新手段１１ｂは、履歴テーブル１２ａとして記憶されているデータ放送チャンネル選択の履歴から、頻度の高いチャンネルがアクセスチャンネルとして、アクセスチャンネル記憶テーブル１２ｂに記憶される（Ｓ０４）。
【００４３】
すなわち、アクセスチャンネル更新手段１１ｂは、利用者により選択された頻度の高いデータ放送チャンネルを履歴テーブル１２ａから抽出し、これをアクセスチャンネルとすることで、よく見るデータ放送チャンネルがアクセスチャンネル記憶テーブル１２ｂに記憶される。
【００４４】
＜データ放送の記憶と表示＞
次に、図４に示すフローチャートを用いて、データ放送を受信した際の記憶手段１１ｄ及び表示要求信号を検出した際の表示手段１１ｅの処理について説明する。
【００４５】
データ放送制御装置１の制御部１１では、図示しない放送局から送信されるデータ放送用のデータの受信を待機している（Ｓ１１）。制御部１１によってデータ放送用のデータが受信された場合、続いて、比較手段１１ｃでは、受信したデータに利用者がよく見るチャンネルのデータ放送用のデータが含まれていたか否かが判定される（Ｓ１２）。具体的には比較手段１１ｃは、受信したデータ放送のチャンネルがアクセスチャンネル記憶テーブル１２ｂに記憶されているチャンネルと一致するか否かを比較し、一致した場合には、受信したデータは利用者が良く見るチャンネルであることになる。
【００４６】
ステップＳ１２において、比較手段１１ｃによって、選択されたチャンネルは利用者がよく見るチャンネルであると判定された場合、記憶手段１１ｄは、受信したデータを記憶部１２にデータ放送管理テーブル１２ｃとして記憶させる（Ｓ１３）。
【００４７】
ステップＳ１３で受信したデータが記憶部１２に記憶された場合、または、ステップＳ１２で受信したデータによく見るチャンネルのデータが含まれていなかった場合には、次に、比較手段１１ｃは、現在の選択チャンネルは利用者がよく見るチャンネルであるか否かを判断する（Ｓ１４）。具体的には、比較手段１１ｃは、選択チャンネルをアクセスチャンネル記憶テーブル１２ｂで記憶されているアクセスチャンネルと比較する。比較手段１１ｃにより、選択チャンネルがアクセスチャンネルと一致した場合、選択チャンネルは、利用者がよく見るチャンネルであると判定する。
【００４８】
記憶手段１１ｄは、上述したステップＳ１３において、新たに受信したデータ放送用のデータがよく見るチャンネルのデータであった場合には、データ放送管理テーブル１２ｃとして記憶部１２に記憶させている。そのため、ステップＳ１４において、比較手段１１ｃがよく見るチャンネルのデータ放送のチャンネルが選択されたと判定した場合、制御部１１は記憶部１２のデータ放送管理テーブル１２ｃから該当するデータ情報を読み出す。続いて、グラフィックデータを生成するようにグラフィックコントローラ２８を制御する。
【００４９】
グラフィックコントローラ２８により生成されたグラフィックデータは、映像デコーダ２５から出力される映像情報とともに、映像データ合成処理部２７によって合成処理された後、ディスプレイ２９で表示される（Ｓ１５）。
【００５０】
一方、ステップＳ１４において、比較手段１１ｃにより、選択チャンネルがアクセスチャンネル記憶テーブル１２ｂで記憶されているチャンネルと一致しないと判定された場合、通常の処理で受信画像を取り込むとともに取り込まれた画像を表示する（Ｓ１６）。
【００５１】
その後、制御部１１が電源がオフにされたことを検出すると処理終了し、電源がオフにされていない場合には、ステップＳ１１に戻り同様の操作が繰り返される（Ｓ１７）。
【００５２】
このように、データ放送用データがテレビ受像機等のデータ放送受信装置２に入力されると、利用者のよく見るチャンネルのデータ放送用データをデータ放送制御装置１の記憶部１２で記憶する。利用者からデータ放送表示の操作がされたとき、記憶部１２で記憶されているチャンネルのデータである場合、この記憶部１２で記憶されているデータを利用して表示を行なうことで、従来のように、受信されるデータを待機して表示する方法と比較して表示までの待機時間を必要とせずに表示をすることが可能になる。
【００５３】
また、図４に示すステップＳ１１〜Ｓ１３に説明した方法でなく、利用者が良く見るデータ放送チャンネルを選択してこれをアクセスチャンネル記憶テーブル１２ｂと設定する方法であってもよい。
【００５４】
なお、上述した例では、一実施例として、タイマ機能を有するアクセスチャンネル更新手段１１ｂを備えて、一定時間が経過したときにこのアクセスチャンネル記憶テーブル１２ｂに記憶されるチャンネルを更新していたが、これに限られるものではない。たとえば、アクセス数をカウントするカウント機能を有し、一定数のアクセスがあるごとに、このアクセスチャンネルを更新する方法であってもよい。
【００５５】
また、アクセスチャンネルは一定時間ごとに自動的に更新されているが、利用者が選択して入力することも可能である。
【図面の簡単な説明】
【００５６】
【図１】本発明に係るデータ放送制御装置の構成を説明するブロック図。
【図２】本発明に係るデータ放送制御装置と接続されるディジタルテレビ放送受信装置の構成を説明するブロック図。
【図３】本発明に係るデータ放送制御装置におけるアクセスチャンネル記憶テーブルを生成する処理を説明するフローチャート。
【図４】本発明に係るデータ放送制御装置におけるデータ放送の記憶及び表示に係る処理を説明するフローチャート。
【符号の説明】
【００５７】
１…データ放送制御部
２…データ放送受信装置
１０…入出力部
１１…制御部
１１ａ…タイマ手段
１１ｂ…比較手段
１２…記憶部
１２ａ…履歴テーブル
１２ｂ…アクセスチャンネル記憶テーブル
１２ｃ…データ放送管理テーブル
２０…アンテナ
２１…復調部
２２…多重分離部
２３…音声デコーダ
２４…スピーカ
２５…映像デコーダ
２６…データデコーダ
２７…映像データ合成処理部
２８…グラフィックコントローラ
２９…ディスプレイ
３０…制御部
３０ａ…入出力制御手段
３０ｂ…ＣＰＵ
３１…操作指示入力部
３２…外部機器入力端子
【図１】
2005348313.tif 000003
【図２】
2005348313.tif 000004
【図３】
2005348313.tif 000005
【図４】
2005348313.tif 000006